(57)【要約】【課題】既存の住宅であっても容易に設置できるうえに、全体及び特定の電力負荷装置の電力消費量を計測することが可能な計測管理システムを提供する。【解決手段】建物Ｈにおけるエネルギー消費量を計測する計測管理システムである。そして、建物側の電源コンセントに差し込むプラグ１１と、コンセント１２と、コンセント１２に接続される電力負荷装置１０Ａの電力消費量を計測する電力消費量計測器１３と、計測値を送信する通信部１４とを有する計測タップ１と、分電盤２０に係る電力量を計測する電力量計測器２２，２３Ａ−２３Ｃ，２４と、計測値を送信する通信部２５とを有する分電盤計測装置２と、計測タップ及び分電盤計測装置から送信された計測値を受信する通信部３２と、受信した計測値を記憶させるデータ蓄積部３３とを有する集計管理装置３とを備えている。【選択図】図１
2010216953.tif 000002
【特許請求の範囲】
【請求項１】
建物におけるエネルギー消費量を計測する計測管理システムであって、
建物側の電源供給口に差し込む差込部と、前記電源供給口から供給された電力を外部に供給するための受入口と、その受入口に接続される電力負荷装置の電力消費量を計測する電力消費量計測器と、その電力消費量計測器による計測値を送信する通信部とを有する計測タップと、
前記建物の分電盤に係る電力量を計測する電力量計測器と、その電力量計測器による計測値を送信する通信部とを有する分電盤計測装置と、
前記計測タップ及び前記分電盤計測装置から送信された計測値を受信する通信部と、受信した計測値を記憶させるデータ蓄積部とを有する集計管理装置とを備えたことを特徴とする計測管理システム。
【請求項２】
前記電力量計測器は、前記建物が接続される電力網と前記分電盤との間の電力量を計測する外部側計測器と、前記分電盤から前記建物の分岐回路に出力される電力量を計測する出力側計測器とを有することを特徴とする請求項１に記載の計測管理システム。
【請求項３】
前記電力量計測器は、前記建物に備えられた発電装置又は蓄電装置の少なくとも一方から前記分電盤に入力される電力量を計測する自立電力側計測器を有することを特徴とする請求項１又は２に記載の計測管理システム。
【請求項４】
前記計測タップに、前記建物の内部状態の一つである気温を計測する温度センサ及び前記建物の内部状態の一つである湿度を計測する湿度センサの少なくとも一方を設けたことを特徴とする請求項１乃至３のいずれか一項に記載の計測管理システム。
【請求項５】
前記計測タップに、前記建物の内部状態の一つである人の有無を検知する人感センサを設けたことを特徴とする請求項１乃至４のいずれか一項に記載の計測管理システム。
【請求項６】
前記集計管理装置は、前記人感センサから送信される信号に基づいて作動する防犯装置を備えたことを特徴とする請求項５に記載の計測管理システム。
【請求項７】
前記計測タップに、通電制御をおこなうリレー部を設けるとともに、前記集計管理装置から送信される制御信号に基づいて前記リレー部を制御することを特徴とする請求項１乃至６のいずれか一項に記載の計測管理システム。
【請求項８】
前記集計管理装置の前記通信部では、前記電力消費量に加えて前記建物におけるガス消費量及び水消費量の少なくとも一方の計測値を受信することを特徴とする請求項１乃至７のいずれか一項に記載の計測管理システム。
【発明の詳細な説明】
【技術分野】
【０００１】
本発明は、住宅などの建物で使用される電気、ガス、水などのエネルギー消費量を計測する計測管理システムに関するものである。
【背景技術】
【０００２】
従来、オフィスビルや工場などの建物の内部を区画単位で管理するに際して、各区画の電気、ガス、水などのエネルギー消費量を測定し、その測定結果を画面に表示するなどして、その区画の利用者にエネルギー消費の節減を促す管理システムが知られている（特許文献１，２など参照）。
【０００３】
また、この特許文献１では、各区画のエネルギー消費量の最適値を算出するために、外気温などの気象データ、室内の温度や湿度や在室人数などの室内状態の測定値、建物や区画の熱効率などの建造物データ等を利用している。さらに、消費されたエネルギーをＣＯ２排出量及び廃棄物排出量に換算し、目標達成率を算出して各区画の端末に配信している。
【０００４】
一方、特許文献３，４には、建物の電源コンセント（電源供給口）に差し込む電源タップに電力消費量を計測する計測器を設け、その電源タップのコンセント（受入口）に接続される電気器具の電力消費量を計測するコンセント形の交流計測器が開示されている。
【先行技術文献】
【特許文献】
【０００５】
【特許文献１】特開２００７−１３３４６９号公報
【特許文献２】特開２００４−１７０３１０号公報
【特許文献３】特開平０７−２１８５５５号公報
【特許文献４】特許第３２０１０６６号公報
【発明の概要】
【発明が解決しようとする課題】
【０００６】
しかしながら、従来の特許文献１，２に開示された管理システムは、エネルギー消費量の節減を目標に、各区画の利用者や管理者にわかりやすく実績を示すものではあるが、そのために様々なセンサを別途、取り付けなければならず、個人住宅などで容易に実施できる構成とはなっていない。
【０００７】
一方、特許文献３，４に開示された構成では、計測器付きの電源タップに接続された電気器具の個別の電力消費量を計測することはできるが、建物全体の電力消費量を計測するにはすべての電気器具を計測器付き電源タップに接続しなければならず、コストが嵩む。
【０００８】
そこで、本発明は、既存の住宅であっても容易に設置できるうえに、全体及び特定の電力負荷装置の電力消費量を計測することが可能な計測管理システムを提供することを目的としている。
【課題を解決するための手段】
【０００９】
前記目的を達成するために、本発明の計測管理システムは、建物におけるエネルギー消費量を計測する計測管理システムであって、建物側の電源供給口に差し込む差込部と、前記電源供給口から供給された電力を外部に供給するための受入口と、その受入口に接続される電力負荷装置の電力消費量を計測する電力消費量計測器と、その電力消費量計測器による計測値を送信する通信部とを有する計測タップと、前記建物の分電盤に係る電力量を計測する電力量計測器と、その電力量計測器による計測値を送信する通信部とを有する分電盤計測装置と、前記計測タップ及び前記分電盤計測装置から送信された計測値を受信する通信部と、受信した計測値を記憶させるデータ蓄積部とを有する集計管理装置とを備えたことを特徴とする。
【００１０】
また、前記電力量計測器は、前記建物が接続される電力網と前記分電盤との間の電力量を計測する外部側計測器と、前記分電盤から前記建物の分岐回路に出力される電力量を計測する出力側計測器とを有する構成とすることができる。
【００１１】
さらに、前記電力量計測器は、前記建物に備えられた発電装置又は蓄電装置の少なくとも一方から前記分電盤に入力される電力量を計測する自立電力側計測器を有する構成とすることもできる。
【００１２】
また、前記計測タップに、前記建物の内部状態の一つである気温を計測する温度センサ及び前記建物の内部状態の一つである湿度を計測する湿度センサの少なくとも一方を設けた構成であってもよい。
【００１３】
さらに、前記計測タップに、前記建物の内部状態の一つである人の有無を検知する人感センサを設けることができる。そして、前記集計管理装置は、前記人感センサから送信される信号に基づいて作動する防犯装置を備えた構成とすることができる。
【００１４】
また、前記計測タップに、通電制御をおこなうリレー部を設けるとともに、前記集計管理装置から送信される制御信号に基づいて前記リレー部を制御することができる。
【００１５】
さらに、前記集計管理装置の前記通信部では、前記電力消費量に加えて前記建物におけるガス消費量及び水消費量の少なくとも一方の計測値を受信することもできる。
【発明の効果】
【００１６】
このように構成された本発明の計測管理システムは、空調装置や照明装置などの電力負荷装置の電力消費量を計測することが可能な計測タップと、建物の分電盤に係る電力量を計測することが可能な分電盤計測装置とを備えており、それらの計測値は集計管理装置に送信されて記憶される。
【００１７】
そして、計測タップは電源供給口に差し込むことで設置できるうえに、建物の分電盤は必ず操作可能な位置に設置されているので、分電盤計測装置も容易に設置することができる。
【００１８】
このため、既存の住宅であっても容易に設置できるうえに、建物全体の電力消費量及び特定の電力負荷装置の電力消費量を計測することができる。
【００１９】
また、建物の分岐回路に出力される電力量をそれぞれ計測する出力側計測器を設けることで、建物の内部系統毎の電力消費量を計測することができる。さらに、外部の電力網との間の電力量を計測する外部側計測器の他に、太陽光発電装置や内燃型の小型発電装置などの発電装置、又は蓄電装置などから供給される電力がある場合は、それらの電力量を区別して計測することもできる。
【００２０】
また、計測タップに、室温や湿度などを計測する温度センサや湿度センサなどを設けることで、電力消費量に加えて建物の内部状態を計測することができる。さらに、計測タップに人感センサを設けることで、建物の内部の人の有無を検知させることもできる。
【００２１】
また、計測タップに人感センサを設け、そこから送信される信号に基づいて作動する防犯装置を設けることで、エネルギー消費量を計測するシステムを防犯システムとしても活用することができる。
【００２２】
さらに、計測タップに通電制御をおこなうリレー部を設け、集計管理装置から送信される制御信号に基づいてリレー部を制御できるようにすれば、例えば建物の電力消費量が管理値を超えた場合に自動的に電力負荷装置の稼働を停止するというような制御をおこなうことができるようになる。
【００２３】
さらに、ガスを使用した空調設備や給湯設備、又は水道設備などのガスや水などのエネルギー消費量を計測することで、建物で消費される様々な種類のエネルギー消費量を計測することができる。
【図面の簡単な説明】
【００２４】
【図１】本発明の実施の形態の計測管理システムの全体構成を説明するブロック図である。
【図２】計測タップの構成を説明する斜視図である。
【図３】計測タップの構成を説明するブロック図である。
【図４】計測タップの構成を説明する回路図である。
【図５】分電盤計測装置の構成を説明する斜視図である。
【図６】分電盤計測装置の構成を説明するブロック図である。
【図７】集計管理装置の構成を説明する斜視図であって、（ａ）は前面側から見た図、（ｂ）は背面側から見た図である。
【図８】集計管理装置の構成を説明するブロック図である。
【図９】ガス・水道計測装置の構成を説明する斜視図である。
【図１０】計測管理システムの設置状態を模式的に説明する俯瞰図である。
【発明を実施するための形態】
【００２５】
以下、本発明の実施の形態について図面を参照して説明する。
【００２６】
図１は、本発明の計測管理システムの構成を示したブロック図である。
【００２７】
この計測管理システムは、戸建て住宅などの建物Ｈ毎に配置されて、建物Ｈにおける電気、ガス、水などのエネルギーの消費量を計測するシステムである。
【００２８】
まず、この建物Ｈについて説明すると、この建物Ｈは、電力会社の発電所や地域毎に設置されたコジェネレーション（以下、「コジェネ」という。）設備などの系統電力から電力の供給を受けるための電力網としての系統電力網Ｅに接続されている。
【００２９】
この系統電力網Ｅと建物Ｈに配線された主幹２０ａとは、電力量メータＥ１を介して繋がっており、主幹２０ａは分電盤２０に繋がっている。そして、この電力量メータＥ１によって、系統電力網Ｅと建物Ｈとの間に流れる電力量が計測される。
【００３０】
また、建物Ｈは、ガスや水などの電気以外のエネルギーの供給を受けるための系統インフラ網Ｇにも接続されている。すなわち、系統インフラ網Ｇのガス管や水道管を通って建物Ｈにガスや水が供給され、供給されるガス量と水量は、ガス・水道メータＧ１によって計測される。なお、ここでは説明を簡略化するためにまとめて図示しているが、ガスと水は別系統で供給され、ガスメータと水道メータはそれぞれ別個に設置されている。
【００３１】
さらに、本実施の形態で説明する建物Ｈは、分散型の発電装置としての太陽光発電装置５と、電力を一時的に蓄えておく蓄電装置としての蓄電池６０とを備えている。
【００３２】
この太陽光発電装置５は、太陽エネルギーとしての太陽光を、太陽電池を利用することによって、直接、電力に変換して発電をおこなう装置である。この太陽光発電装置５は、太陽光を受けることができる時間帯にのみ電力を供給することが可能な装置である。
【００３３】
また、太陽光発電装置５によって発電された直流電力は、パワーコンディショナ５１によって交流電力に変換されて分電盤２０に入力される。さらに、蓄電池６０に充電又は蓄電池６０から放電される際にも、パワーコンディショナ６１によって直流と交流の変換がおこなわれる。
【００３４】
また、建物Ｈには、様々なエネルギー負荷装置が設置されている。例えば、エアコンなどの空調装置、照明スタンドやシーリングライトなどの照明装置、並びに冷蔵庫やテレビなどの家電装置などの電力によって稼働する電力負荷装置１０Ａ−１０Ｃがある。
【００３５】
さらに、ガスコンロなどの調理負荷７ａ及びガスでお湯を作る給湯負荷７ｂは、ガスを消費するガス負荷装置になる。また、給湯負荷７ｂは、水を消費する水負荷装置でもある。さらに、水道の蛇口、トイレなども水負荷装置になる。
【００３６】
そして、これらの電力負荷装置１０Ａ−１０Ｃの電力消費量を計測するために計測タップ１を取り付ける。なお、本実施の形態では、計測タップ１は、建物Ｈの壁などに設けられた電源供給口としての電源コンセント（図示せず）に差し込む形態のものについて説明するが、これに限定されるものではなく、天井に取り付けられるシーリングライトやペンダントライトなどの電源供給口となるシーリングに差し込む形態のものであってもよい。
【００３７】
また、計測タップ１は、建物Ｈ内のすべての電力負荷となる装置に取り付けることもできるが、空調設備や冷蔵庫など電力消費量の大きな装置など、特定の電力負荷装置１０Ａ−１０Ｃにだけ取り付けることができる。
【００３８】
この計測タップ１は、例えば図２に示すように、建物Ｈの壁などに設けられた電源コンセントに差し込む差込部としてのプラグ１１と、受入口としてのコンセント１２と、そのコンセント１２に接続される電力負荷装置１０Ａ−１０Ｃの電力消費量を計測する電力消費量計測器１３と、その電力消費量計測器１３による計測値を送信する通信部１４とから主に構成される。
【００３９】
このコンセント１２は、電源コンセントから供給された電力を電力負荷装置１０Ａ−１０Ｃに供給するために形成される。この図２では、１口のコンセント１２が形成されているだけであるが、複数のコンセント１２が設けられたテーブルタップ型の計測タップにすることもできる。
【００４０】
また、本実施の形態の計測タップ１には、建物Ｈの内部状態を計測するセンサとしての温度センサ及び湿度センサを温湿度センサ１５として取り付ける。この温湿度センサ１５は、計測タップ１が取り付けられた部屋（詳細には計測タップ１の設置位置）の温度及び湿度を計測するセンサである。
【００４１】
さらに、計測タップ１には、建物Ｈの内部状態を計測するセンサとしての人感センサ１６を取り付ける。この人感センサ１６は、建物Ｈの内部、すなわち計測タップ１を取り付けた部屋の人の有無を検知させるセンサである。この人感センサ１６は、赤外線センサ又は熱感知センサなどによって人の有無を検知し、人がいることを検知したときに信号を生成する。
【００４２】
一方、図３は、この計測タップ１の構成を説明するブロック図であり、図４は計測タップ１の回路図である。
【００４３】
この計測タップ１の内部では、プラグ１１とコンセント１２とが結線されて交流（ＡＣ）が通電される。また、プラグ１１とコンセント１２との間にはリレー部１８が設けられ、制御部１７による制御によってオン・オフの通電制御がおこなえる構成となっている。
【００４４】
さらに、計測タップ１の内部には、コンセント１２によって消費される電力消費量を計測する電力消費量計測器１３が設けられている。この電力消費量計測器１３は、図４に示すように、プラグ１１とコンセント１２間に流れる電流を計測する電流センサ１３ａと、プラグ１１とコンセント１２間の電圧を計測する電圧センサ１３ｂとから構成される。
【００４５】
そして、電流センサ１３ａ及び電圧センサ１３ｂによって計測されたアナログ値は、制御部１７によってデジタル値に変換される。この制御部１７には、リレー部１８、通信部１４、温湿度センサ１５、人感センサ１６、モニタＬＥＤ１９などが接続されている。
【００４６】
また、制御部１７及びそこに接続される通信部１４などを作動させる駆動源には、図４に示す整流器１７ａによって交流から直流に変換された電力が使用される。
【００４７】
一方、通信部１４は、後述する集計管理装置３と無線によってデータの送受信をおこなうための構成である。このデータの送受信は、一定間隔、送信すべきデータの蓄積量又は送受信が必要なデータが生成されたときなどのタイミングで行なわれる。
【００４８】
この通信部１４によって送信されるデータは、計測された電流値や電圧値、又はそれらから算出される電力量などのデジタル値に変換されたデータである。他方、通信部１４で受信するデータは、リレー部１８の通電制御をおこなうために集計管理装置３から送信される制御信号などの制御部１７を制御する各種信号である。
【００４９】
また、モニタＬＥＤ１９は、電力消費量計測器１３で計測された電力消費量の大きさに応じた表示をおこなう機能である。例えば、電力消費量が少ないときには緑色にＬＥＤ（発光ダイオード）を発光させ、電力消費量の大きさを制御部１７で段階的に判定し、電力消費量が大きくなるに従って、黄色、橙色、赤色とモニタＬＥＤ１９で表示する色を変化させる。
【００５０】
なお、このモニタＬＥＤ１９に表示させる色の制御は、通信部１４によって一旦、集計管理装置３に計測値を送信し、集計管理装置３で判定された結果を通信部１４で受け取って、その受信データに基づいた色に発光させるという構成であってもよい。
【００５１】
また、分電盤２０には、図５に示すように分電盤計測装置２を接続する。この分電盤２０には、入力側として主幹２０ａと補助配線２０ｃ，２０ｄとが接続されており、出力側の分岐回路として複数の分岐幹２０ｂ，・・・が接続されている。
【００５２】
そして、主幹２０ａを通って系統電力網Ｅからの電力が分電盤２０に入力される。なお、太陽光発電装置５によって発電された電力を売る場合は、逆潮流として主幹２０ａを通って系統電力網Ｅに発電された電力が送られることになる。
【００５３】
また、補助配線２０ｃからは、太陽光発電装置５で発電された電力が分電盤２０に入力される。また、蓄電池６０と分電盤２０とは、補助配線２０ｄによって接続され、分電盤２０から蓄電池６０への充電及び蓄電池６０から分電盤２０への放電がおこなわれる。
【００５４】
一方、分電盤計測装置２は、図６に示すように、電力量計測器として、主幹２０ａの電力量を計測する外部側計測器２２と、分岐幹２０ｂ，・・・の数に合わせて設置される出力側計測器２３Ａ−２３Ｃと、補助配線２０ｃ，２０ｄの電力量をそれぞれ計測する自立電力側計測器２４とを備えるとともに、これらの計測器からの計測値が入力される制御部２１と、その制御部２１に接続される通信部２５と、一時的に計測値などのデータを記憶させるＲＡＭ(Random Access Memory)などの仮記憶部２６とを備えている。
【００５５】
これらの計測器２２，２３Ａ−２３Ｃ，２４は、図５に示すように分電盤２０側に取り付けられた電流センサ（図示せず）や電圧センサ（図示せず）などによって構成される。すなわち、図示していないが、これらの電流センサや電圧センサが主幹２０ａ、分岐幹２０ｂ，・・・、補助配線２０ｃ，２０ｄにそれぞれ結線されている。
【００５６】
さらに、これらの計測器２２，２３Ａ−２３Ｃ，２４は、分電盤計測装置２の本体２ａに接続されており、本体２ａには動力源を確保するための電源コード２７と、作動状態を表示する通電ＬＥＤ２８とが設けられている。
【００５７】
また、これらの計測器２２，２３Ａ−２３Ｃ，２４によって計測されたアナログデータは、制御部２１でデジタルデータに変換され後に一時的に仮記憶部２６に保存されて、一定の時間間隔で通信部２５から送信される。
【００５８】
この通信部２５は、集計管理装置３との間で無線によってデータの送受信をおこなう構成である。この通信部２５では、計測器２２，２３Ａ−２３Ｃ，２４によって計測された計測値を集計管理装置３に向けて送信するとともに、制御部２１の設定信号などの各種信号を集計管理装置３から受信する。
【００５９】
そして、図７は、計測タップ１及び分電盤計測装置２から送信される計測値のデータを受信する集計管理装置３の外観を示した図である。
【００６０】
この集計管理装置３の前面３ａには、図７（ａ）に示すように、複数のＬＥＤ（発光ダイオード）などで構成される表示部３８と、後述する防犯装置との切換時に使用する切換スイッチ３５とが露出している。また、集計管理装置３の背面３ｂには、図７（ｂ）に示すように、電源入力口３ｃ及び各種インターフェース３ｄ−３ｆが設けられている。
【００６１】
また、図８は、集計管理装置３の構成を説明するブロック図である。この集計管理装置３は、無線でデータの送受信をおこなう通信部３２と、制御部３１と、受信した計測値などのデータを記録させるデータ蓄積部３３と、一時的に計測値のデータなどを記憶させるＲＡＭ(Random Access Memory)などの仮記憶部３７と、電力消費量を表示するための表示部３８とから主に構成される。
【００６２】
このデータ蓄積部３３には、ＲＡＭ(Random Access Memory)、ハードディスク、光ディスクなどの記憶装置が使用できる。なお、本実施の形態では、データ蓄積部３３は、集計管理装置３の本体に内蔵させるが、ＵＳＢやローカルネットワークなどを繋ぐインターフェース３ｄ−３ｆを使って外部に設けることもできる。
【００６３】
また、データ蓄積部３３に記録させる計測値のデータは、計測日時が後から特定できるように、予め設定された一定間隔で保存させるか、又は計測タップ１で計測した時刻、計測タップ１が送信をおこなった時刻若しくは集計管理装置３が受信した時刻などを時刻歴として付加して一緒に保存させる。
【００６４】
また、表示部３８では、建物Ｈ全体の電力消費量を複数のＬＥＤを使って表示させる。例えば、電力消費量の大きさを段階ごとに分けて、その段階に応じた数のＬＥＤを発光させる。また、太陽光発電装置５による系統電力網Ｅへの売電量が段階的に表示される構成にすることもできる。
【００６５】
さらに、集計管理装置３にも、計測タップ１と同様に建物Ｈの内部状態を計測する温湿度センサ３６を設けることができる。こうすることで、計測タップ１が取り付けられていない部屋であっても、集計管理装置３が設置されていることで、その部屋の室温や湿度を計測することができる。
【００６６】
また、この集計管理装置３は、切換スイッチ３５によって防犯装置に切り替えることができる。この防犯装置は、計測タップ１に設けられた人感センサ１６が人の存在を検知すると、警報を鳴らしたり、住人の携帯電話や警備会社に連絡メールを送ったりする防犯システムである。
【００６７】
例えば、建物Ｈ内に住人がいるときには集計管理装置３によって計測値を収集させ、住人が外出して留守にする際に、切換スイッチ３５を押して防犯装置を作動させる。なお、この防犯装置を作動させている際も、計測値の収集を継続させることができる。
【００６８】
そして、制御部３１では、データ蓄積部３３、表示部３８、通信部３２、防犯装置の作動など、集計管理装置３の制御をおこなう。また、計測タップ１の通電制御をおこなうための制御信号は、この制御部３１で生成されて通信部３２から指定の計測タップ１に送信される。さらに、通電制御をおこなう際は、計測タップ１の人感センサ１６の検出値を利用し、部屋に人がいないときだけリレー部１８で通電をオフするように制御することもできる。
【００６９】
また、建物Ｈのガス及び水の消費量は、図９に示すように、ガス・水道計測装置７によって計測される。このガス・水道計測装置７には、作動確認用の通電ＬＥＤ７１が設けられている。
【００７０】
また、このガス・水道計測装置７は、ガスメータ又はガスメータとは別にガス管に接続されたガス用メータＧ３と通信線７３によって接続される。このガス用メータＧ３に取り付けられる通信線７３の端部には、ガス使用量に応じて発生するパルスカウントを計測する計測器７３ａが取り付けられている。
【００７１】
さらに、ガス・水道計測装置７は、水道メータ又はそれとは別に水道管に接続された水道用メータＧ２とも通信線７２によって接続される。この水道用メータＧ２に取り付けられる通信線７２の端部には、水使用量に応じて発生するパルスカウントを計測する計測器７２ａが取り付けられている。
【００７２】
そして、計測器７２ａ，７３ａで計測された計測値は、通信線７２，７３を通ってガス・水道計測装置７の通信部７４から集計管理装置３に無線で送信される。
【００７３】
また、図１に示す蓄電池６０のパワーコンディショナ６１に接続される蓄電量制御装置６は、蓄電池６０の充電制御及び放電制御をおこなう装置である。
【００７４】
例えば、蓄電量制御装置６では、蓄電池６０に夜間電力などの単価の安い電力を充電するようにし、充電された電力を昼間に優先的に使用するような制御をおこなう。また、太陽光発電装置５によって発電が行なわれているときは、まずその発電された電力を消費し、蓄電池６０に蓄電された電力は、太陽光発電装置５の電力では不足する分を補うような制御をおこなう。
【００７５】
また、蓄電量制御装置６では、蓄電池６０の蓄電量の計測をおこない、その計測値を通信部（図示せず）から集計管理装置３に無線で送信させる。
【００７６】
また、図１に示すように、建物Ｈの外部の外気温、湿度、日射量及び風速などの外部状態を計測するための外部観測計８１を設置することができる。
【００７７】
この外部観測計８１は、風向及び風速を計測する風向風速センサ、日射量を計測する照度センサ及び温湿度センサなどによって構成される。また、この外部観測計８１の出力は、環境計測装置８によってデジタル値に変換されて、その通信部（図示せず）から無線で集計管理装置３に送信される。
【００７８】
なお、このような外部状態の計測値は、建物Ｈ毎に計測するのではなく、気象庁などから提供される周辺地域の気象データを取得して利用することもできる。
【００７９】
図１０は、上述した計測管理システムが設置された建物Ｈの俯瞰図である。
【００８０】
この建物Ｈには、各部屋に計測タップ１，・・・が設置され、玄関脇の分電盤２０には分電盤計測装置２が接続され、図１０の右下の部屋には集計管理装置３が設置されている。
【００８１】
また、建物Ｈの外部の水道用メータＧ２とガス用メータＧ３には、ガス・水道計測装置７が接続されている。さらに、ベランダには、環境計測装置８が設置されている。
【００８２】
そして、計測タップ１，・・・、分電盤計測装置２、ガス・水道計測装置７及び環境計測装置８から無線で送信されたデータを、集計管理装置３が受信することになる。また、受信されたガス消費量及び水消費量の計測値は、集計管理装置３のデータ蓄積部３３に記憶される。
【００８３】
また、この集計管理装置３は、図１に示すように、ルータ４１ａ、ゲートウェイ４１ｂを介してインターネットなどの外部の通信網Ｎに繋がっている。そして、同じく通信網Ｎに接続された外部のサーバ４との間で、計測値などのデータの送受信や制御信号の送受信などをおこなうことができる。
【００８４】
例えば、集計管理装置３のデータ蓄積部３３に記憶された計測値のデータは、時間単位、日単位又は月単位など設定された間隔毎にサーバ４に送信され、サーバ４では受信したデータに基づいて各種分析をおこなう。また、所定の間隔又は更新情報が生成されたときなどは、サーバ４から設定値や管理値や更新プログラムなどの各種信号を集計管理装置３に送信することもできる。
【００８５】
また、建物Ｈ内のルータ４１ａに接続されたコンピュータ４１は、集計管理装置３と無線でデータの送受信をおこなうことができる構成となっている。
【００８６】
そして、このコンピュータ４１のモニタ（図示せず）に、集計管理装置３のデータ蓄積部３３に記録された計測値、サーバ４に蓄積された計測値、それらの計測値の統計処理結果、エネルギー消費量の評価などを表示させることができる。また、計測された計測値の詳細データを、リアルタイムにモニタに表示させることもできる。
【００８７】
さらに、コンピュータ４１によって集計管理装置３の設定値を変更したり、集計管理装置３などの制御プログラムの更新を指示したりすることもできる。
【００８８】
次に、本実施の形態の計測管理システムの作用について説明する。
【００８９】
このように構成された本実施の形態の計測管理システムは、空調装置や照明装置などの電力負荷装置１０Ａ−１０Ｃの電力消費量を計測することが可能な計測タップ１と、建物Ｈの分電盤２０に係る電力量を計測することが可能な分電盤計測装置２とを備えており、それらの計測値は集計管理装置３に送信されてデータ蓄積部３３に記憶される。
【００９０】
そして、計測タップ１は電源コンセントに差し込むことで設置できるうえに、建物Ｈの分電盤２０は必ず操作可能な位置に設置されているので、分電盤計測装置２も容易に設置することができる。
【００９１】
このため、建物Ｈが既存の住宅であっても容易に設置できるうえに、建物Ｈ全体の電力消費量及び特定の電力負荷装置１０Ａ−１０Ｃの電力消費量を計測することができる。
【００９２】
また、建物Ｈの分岐幹２０ｂに出力される電力量をそれぞれ計測する出力側計測器２３Ａ−２３Ｃを設けることで、建物Ｈの内部系統毎の電力消費量を計測することができる。
【００９３】
さらに、外部の系統電力網Ｅとの間の電力量を計測する外部側計測器２２の他に、太陽光発電装置５又は蓄電池６０などから供給される電力がある場合は、自立電力側計測器２４によってそれらの電力量を区別して計測することができる。
【００９４】
また、計測タップ１に、室温や湿度などを計測する温湿度センサ１５を設けることで、電力消費量に加えて建物Ｈの内部状態である室温及び湿度を計測することができる。
【００９５】
さらに、計測タップ１に人感センサ１６を設けることで、建物Ｈの内部の人の有無を検知させることもできる。そして、その人感センサ１６から送信される信号に基づいて作動する防犯装置を設けることで、エネルギー消費量を計測する計測管理システムを防犯システムとしても活用することができる。
【００９６】
さらに、計測タップ１に通電制御をおこなうリレー部１８を設け、集計管理装置３から送信される制御信号に基づいてリレー部１８を制御できるようにすれば、例えば建物Ｈの電力消費量が管理値を超えた場合に自動的に特定の電力負荷装置１０Ａの稼働を停止するというような制御をおこなうことができるようになる。
【００９７】
さらに、ガスを使用した空調設備や給湯設備、又は水道設備などのガスや水などのエネルギー消費量をガス・水道計測装置７で計測することで、建物Ｈで消費される様々な種類のエネルギー消費量を計測することができる。
【００９８】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００９９】
例えば、前記実施の形態では、太陽光発電装置５及び蓄電池６０を備えた建物Ｈに計測管理システムを設置する場合について説明したが、これに限定されるものではなく、これらの装置を備えていない主幹回路と分岐回路だけの住宅などにも本発明の計測管理システムを適用できる。
【符号の説明】
【０１００】
１            計測タップ
１１          プラグ（差込部）
１２          コンセント（受入口）
１３          電力消費量計測器
１４          通信部
１５          温湿度センサ（センサ）
１６          人感センサ（センサ）
１８          リレー部
２            分電盤計測装置
２０          分電盤
２０ａ        主幹
２０ｂ        分岐幹（分岐回路）
２０ｃ，２０ｄ  補助配線
２２          外部側計測器（電力量計測器）
２３Ａ−２３Ｃ  出力側計測器（電力量計測器）
２４          自立電力側計測器（電力量計測器）
２５          通信部
３            集計管理装置
３２          通信部
３３          データ蓄積部
３５          切換スイッチ
５            太陽光発電装置（発電装置）
６０          蓄電池（蓄電装置）
７            ガス・水道計測装置
１０Ａ−１０Ｃ  電力負荷装置
Ｅ            系統電力網（電力網）
Ｈ            建物
【図１】
2010216953.tif 000003
【図２】
2010216953.tif 000004
【図３】
2010216953.tif 000005
【図４】
2010216953.tif 000006
【図５】
2010216953.tif 000007
【図６】
2010216953.tif 000008
【図７】
2010216953.tif 000009
【図８】
2010216953.tif 000010
【図９】
2010216953.tif 000011
【図１０】
2010216953.tif 000012